(57)【特許請求の範囲】
【請求項１】
相対的に開閉される二つ折りの開閉体の開閉動作を制御するために、その一方の取付部に回転シャフトを固定させ、もう一方の開閉体にこの回転シャフトを軸受けさせる軸受部を設けると共に、前記回転シャフトをその中心部に挿通させて一方向へ摺動附勢されている摺動カムと、この摺動カムと圧接する前記軸受部に設けられた固定カムから成るカム手段を設けたものにおいて、前記回転シャフトの回転を制御するフリクション手段を設け、もって、開閉体の一方を立てて、もう一方の開閉体に対するロック手段を解いた時には、このもう一方の開閉体を自動的に開かしめ、前記一方の開閉体を水平状態において、もう一方の開閉体を開いた際には、このもう一方の開閉体が所定の開成角度範囲においてフリーストップに停止できるように構成したことを特徴とする、開閉装置。
【請求項２】
一方の開閉体に取り付けられる回り止め付きの軸受体と、もう一方の開閉体に取り付けられ、前記軸受体の軸受部に回転自在に軸受けされる回転シャフトと、前記軸受部の一方の側に前記回転シャフトをその中心部に挿通させて該回転シャフトと共に回転するように設けられた前記軸受部に圧接させられるフリクションプレートと、前記軸受部の他方の側に設けられた固定カムと、この固定カムと対向し、前記回転シャフトをその中心部に挿通させて設けられた該回転シャフトと共に回転しつつ摺動する摺動カムと、この摺動カムを固定カムの方向へ押圧させる弾性手段とで構成したことを特徴とする、開閉装置。
【請求項３】
相対的に開閉される二つ折りの開閉体の開閉動作を制御するものであって、一方の開閉体に取り付けられる回り止め付きの軸受体と、もう一方の開閉体に取り付けられ、前記軸受体の軸受部に回転自在に軸受けされる回転シャフトと、前記軸受部の一方の側に前記回転シャフトをその中心部に挿通させて該回転シャフトと共に回転するように設けられた前記軸受部に圧接させられるフリクションプレートと、前記軸受部の他方の側に設けられた固定カムと、この固定カムと対向し、前記回転シャフトをその中心部に挿通させて設けられた該回転シャフトと共に回転しつつ摺動する摺動カムと、この摺動カムを固定カムの方向へ押圧させる弾性手段とで構成し、もって、開閉体の一方を立てて、もう一方の開閉体に対するロック手段を解いた時には、このもう一方の開閉体を自動的に開かしめ、前記一方の開閉体を水平状態において、もう一方の開閉体を開いた際には、このもう一方の開閉体が所定の開成角度範囲においてフリーストップに停止できるように構成したことを特徴とする、開閉装置。
【請求項４】
請求項１〜３に記載した開閉装置を、開閉体の一方を構成する受話部の取付部と開閉体のもう一方を構成する送話部の間に取り付け、もって、相対的に開閉される受話部と送話部の開閉動作を制御するように構成したことを特徴とする、携帯用電話器。
【発明の詳細な説明】
【０００１】
【発明の属する技術分野】
この発明は、二つ折りに折り畳まれた携帯用電話器の受話部と送話部のような開閉体を、相対的に開閉する際に用いて好適な開閉装置とこの開閉装置を用いた携帯用電話器に関する。
【０００２】
【従来の技術】
従来より、この二つ折りの携帯用電話器の開閉装置として、受話部に対して送話部を（或はその逆の場合もある、以下同じ）、ワンタッチで開くことができるようにしたり、或はフリーストップに開くことのできるさまざまなタイプのものが公知である。
【０００３】
【発明が解決しようとする課題】
二つ折りの携帯用電話器においては、何と言っても受話部に対して送話部をワンタッチで開くことができる構造簡単で安価な開閉装置が求められている。それはこの二つ折りの携帯用電話器をとくに受信時に片手で操作することができるからである。
【０００４】
しかるに、上述した従来公知のものは、構造が複雑に過ぎたり、或は組み込みに時間と手間を要するなどして、製作コストが高くつき、故障も多いという問題があった。
【０００５】
そこで、この発明の目的は、二つ折りであり相対的に開閉される一対の開閉体に用いられるものであって、可及的に簡単な構造を有し、かつ、携帯用電話器への組み込みにも時間と手間を要しないことから、安価に製造することのできる、とくに二つ折りの携帯用電話器に用いて好適な開閉体の開閉装置とこの開閉装置を用いた携帯用電話器を提供せんとするにある。
【０００６】
以下にこの発明をその主たる用途である二つ折り式の携帯用電話器に実施した場合について説明するが、この発明は二つ折りの開閉体で、相対的に開閉される開閉体に広く実施できるものである。
【０００７】
【課題を解決するための手段】
上述した目的を達成するためにこの発明は、相対的に開閉される二つ折りの開閉体の開閉動作を制御するために、その一方の取付部に回転シャフトを固定させ、もう一方の開閉体にこの回転シャフトを軸受けさせる軸受部を設けると共に、前記回転シャフトをその中心部に挿通させて一方向へ摺動附勢されている摺動カムと、この摺動カムと圧接する前記軸受部に設けられた固定カムから成るカム手段を設けたものにおいて、前記回転シャフトの回転を制御するフリクション手段を設け、もって、開閉体の一方を立てて、もう一方の開閉体に対するロック手段を解いた時には、このもう一方の開閉体を自動的に開かしめ、前記一方の開閉体を水平状態において、もう一方の開閉体を開いた際には、このもう一方の開閉体が所定の開成角度範囲においてフリーストップに停止できるように構成したことを特徴とする。
【０００８】
その際にこの発明は、一方の開閉体に取り付けられる回り止め付きの軸受体と、もう一方の開閉体に取り付けられ、前記軸受体の軸受部に回転自在に軸受けされる回転シャフトと、前記軸受部の一方の側に前記回転シャフトをその中心部に挿通させて該回転シャフトと共に回転するように設けられた前記軸受部に圧接させられるフリクションプレートと、前記軸受部の他方の側に設けられた固定カムと、この固定カムと対向し、前記回転シャフトをその中心部に挿通させて設けられた該回転シャフトと共に回転しつつ摺動する摺動カムと、この摺動カムを固定カムの方向へ押圧させる弾性手段とで構成することができる。
【０００９】
この発明はまた、相対的に開閉される二つ折りの開閉体の開閉動作を制御するものであって、一方の開閉体に取り付けられる回り止め付きの軸受体と、もう一方の開閉体に取り付けられ、前記軸受体の軸受部に回転自在に軸受けされる回転シャフトと、前記軸受部の一方の側に前記回転シャフトをその中心部に挿通させて該回転シャフトと共に回転するように設けられた前記軸受部に圧接させられるフリクションプレートと、前記軸受部の他方の側に設けられた固定カムと、この固定カムと対向し、前記回転シャフトをその中心部に挿通させて設けられた該回転シャフトと共に回転しつつ摺動する摺動カムと、この摺動カムを固定カムの方向へ押圧させる弾性手段とで構成し、もって、開閉体の一方を立てて、もう一方の開閉体に対するロック手段を解いた時には、このもう一方の開閉体を自動的に開かしめ、前記一方の開閉体を水平状態において、もう一方の開閉体を開いた際には、このもう一方の開閉体が所定の開成角度範囲においてフリーストップに停止できるように構成することができる。
【００１０】
さらにこの発明は、上述した請求項１〜３に記載した開閉装置を、開閉体の一方を構成する受話部の取付部と、開閉体のもう一方を構成する送話部の取付部との間に取り付け、もって、二つ折りの携帯用電話器の相対的に開閉される受話部と送話部の開閉動作を制御するように構成したことを特徴とする。
【００１１】
【作用】
請求項１のように構成すると、開閉体の重量とカム手段とフリクション手段のトリプル効果によって、開閉体の一方を片手に立てて保持し、もう一方の開閉体に対するロック手段を解くと、このもう一方の開閉体はその自重とカム手段により自動的に所定の開成角度まで開かれる。他方、一方の開閉体を片手に略水平に保持して、もう一方の開閉体に対するロック手段を解いて、この一方の開閉体を開くと、カム手段とフリクション手段により、このもう一方の開閉体を所定の開成角度の範囲内において、一方の開閉体に対してフリーストップに停止保持させることができるものである。
【００１２】
請求項２のように構成すると、回転シャフトの回転と共に、フリクションプレートと軸受部との間にフリクショントルクが創出され、軸受部に設けた固定カムと、この固定カムの方向へ摺動附勢された摺動カムとの間にカムトルクが創出され、いずれも軸受体と回転シャフトとの間の相対的回転、しかして、一方の開閉体ともう一方の開閉体との間の相対的回転が制御されることになる。
【００１３】
請求項３のように構成すると、回転シャフトの回転と共に、フリクションプレートと軸受部との間にフリクショントルクが創出され、軸受部に設けた固定カムと、この固定カムの方向へ摺動附勢された摺動カムとの間にカムトルクが創出され、いずれも軸受体と回転シャフトとの間の相対的回転、しかして、一方の開閉体ともう一方の開閉体との間の相対的回転が制御されることにより、開閉体の一方を片手に立てて保持し、もう一方の開閉体に対するロック手段を解くと、このもう一方の開閉体は、その自重とカム手段により自動的に所定の開成角度まで開かれる。他方、一方の開閉体を片手に略水平に保持して、もう一方の開閉体に対するロック手段を解いて、この一方の開閉体を開くと、カム手段とフリクション手段により、このもう一方の開閉体を所定の開成角度の範囲内において、一方の開閉体に対してフリーストップに停止保持させることができるものである。
【００１４】
請求項４のように構成すると、二つ折りの携帯用電話器において、開閉体の一方を構成する受話部を片手に立てて持ち、指でもう一方の開閉体を構成する送話部に対するロックを解くと、この送話部は固定カムと一方向へ摺動附勢された摺動カムによるカム作用と自重により、自動的に開かれ、片手によるワンタッチ操作で受話態勢を取ることが可能となる。そして、その際の送話部の開成動作は、フリクションプレートと軸受部との間に生ずるフリクショントルクによって、適当に制御され、急激となることがない。
【００１５】
他方、送話時においては、受話部を略水平に片手で持って、同じく送話部に対するロック手段を解き、もう一方の手で送話部を開く際には、フリクションプレートと軸受部との間のフリクショントルクと、固定カムと摺動カムとの間のカムトルクにより、所定の開成角度範囲において、フリーストップに停止保持させることが可能となるものである。
【００１６】
【発明の実施の形態】
図面はこの発明を二つ折りの携帯用電話器に実施した場合の実施例を示し、図１において、１は一方の開閉体を構成する受話部であり、表面にレシーバー部１ａとディスプレー部１ｂが設けられている。その他、２はアンテナ、４ａはロック手段４の押釦である。尚、このロック手段４は、一例として後述するように磁力吸着手段を示したが、この実施例のものに限定されるものではなく、その他の構成の係止手段から成るロック手段に代えることができる。この係止手段から成るロック手段は、例えば、スプリングを作用させた係止爪で、一方が他方を係止し、この係止を解くことで、開成させることができるように構成したものが考えられよう。
【００１７】
５はもう一方の開閉体を構成する送話部であり、その表面にマイク部５ａとキーボード部５ｂが設けられている。
【００１８】
受話部１と送話部５は、とくに図２に示したように、各々の端部に設けた取付部１ｃ，１ｃと５ｃの間に設置された開閉装置６，７を介して相対的に開閉自在に連結されている。この開閉装置６，７の設置部分は、図１において表示すると、矢印ＡとＢで示された部分になる。このようにして、受話部１と送話部５は、左右一対の開閉装置６，７を介して相対的に開閉されるが、この開閉装置６，７の構成は、左右対称となっているだけで、構造は同じであるので、以下に左側の開閉装置６について説明する。尚、３，３は後述する収装孔１ｄと変形取付穴５ｄに圧入される蓋体である。この圧入は捻子着でも良い。
【００１９】
図３乃至図１０において、８は中央部を軸受部９で仕切ってなる丸ケース状の軸受体であり、外周軸方向に９０°間隔で４本の係止溝８ａが設けられている。この軸受体８は受話部１の取付部１ｃに設けた収装孔１ｄ内に挿入されることによって収納され、各係止溝８ａを収装孔１ｄに設けた同じく４本の突条１ｅと嵌合させることにより受話部１と一緒に回転するように構成されている。受話部９には軸受孔９ａが設けられると共に、その左側面は平坦に構成されているが、右側面には、１８０°間隔を置いて一対のカム突起９ｂ，９ｂから成る固定カム１０が設けられている。尚、この軸受部８は取付部１ｃ内に例えば成型等の手段で一体に形成させても良い。
【００２０】
１１は回転シャフトであり、この回転シャフト１１は、両側を削り取ることによって形成された変形取付部１２と、この変形取付部１２に続いて設けられた大径部１３と、この大径部１３に続いて設けられた変形中径部１４と、この変形中径部１４に続いて設けられた変形小径部１５から成り、変形取付部１２を送話部５の取付部５ｃに設けた変形取付穴５ｄに挿入係止させると共に、変形中径部１４の一側部側を軸受部９の軸受孔９ａへ軸受させている。変形中径部１４には、中心部に設けた変形孔１６ａへ挿通させて、摺動カム１６が回転シャフト１１と共に回転するように、かつ摺動自在に軸挿されており、この摺動カム１６と回転シャフト１１の大径部１３との間には、変形中径部１４の回りに環巻きされつつコンプレッションスプリング１７が弾設され、摺動カム１６を固定カム１０側へ押圧させている。
【００２１】
この摺動カム１６には、とくに図９と図１０に示したように、固定カム１０と対向する側に１８０°間隔で設けられた一対のカム溝１６ｂ，１６ｂと、このカム溝１６ａ，１６ａ間を結ぶ、なだらかな起伏を有するカム面１６ｃ，１６ｃとから成るカム部１９が設けられ、固定カム１０のカム突起９ｂ，９ｂと圧接している。
【００２２】
軸受体８の平坦な左側面側には、変形中径部１４をその中心部に設けた変形孔１８ａに挿通させつつ、例えば燐青銅製のフリクションプレート１８が設けられており、このフリクションプレート１８は回転シャフト１１の変形小径部１５にその変形孔２０ａを挿通させつつ、該変形小径部１５の端部をかしめることによって、該変形小径部１５に固着された押えワッシャー２０を介して、軸受体８に対し面接触している。
【００２３】
そして、このフリクションプレート１８は、コンプレッションスプリング１７を介して、回転シャフト１１が一方向（図面では右方向）へ摺動附勢されていることにより、軸受体８へ圧接させられている。したがって、この圧接力、したがって、フリクリョントルクは、固定カム１０に対する摺動カム１６の位置によって、その強弱の変化が生じる構成である。
【００２４】
勿論、ここのところは、常に均一の圧接力、したがって、フリクショントルクを得たい場合には、回転シャフト１１に軸受部によって係止される段部を設けることによって、これを達成できる。
【００２５】
図１０は、固定カム１０のカム突起９ｂ，９ｂに対する摺動カム１６のカム部１９の圧接位置が、受話部と送話部の相対的開成位置によって、どのように変化するかを表わしたものであり、受話部１と送話部５を図１１に示したように２つ折りにして閉じた状態において、固定カム１０のカム突起９ｂ，９ｂは、摺動カム１６のカム部１９の（ａ）の位置にありこれを０°とする。この時、送話部５の上端側に取り付けたロック手段４の永久磁石４ｂは、受話部１側に移動可能に取り付けた磁性片４ｄを磁力吸着していることから、送話部５と受話部１は二つ折りして閉じた状態でロックされている。
【００２６】
この状態から、受話部１を片手に立てた状態で片手に持ち、指（人差し指）で、ロック手段４の押釦４ａを押すと、磁性片４ｄがスプリング４ｃの弾力に抗して摺動し、永久磁石４ｂとの相対位置によりずれるので、磁力吸着によるロックが解除される。すると、キーボード部５ｂを有する送話部５は、図９と図１０に示したように、カム突起９ｂ，９ｂが（ａ）位置からカム面１６ｃ，１６ｃの傾斜面を滑り降りる附勢力に伴う回転トルクと、自重によって自動的に１６０°まで開かれる。この時のカム突起９ｂ，９ｂのカム面１６ｃ，１６ｃに対する位置は（ｃ）の位置である。この時、カム突起９ｂ，９ｂは初動時にはカム面１６ｃ，１６ｃの傾斜面を滑り降りるが、カム面１６ｃ，１６ｃの（ｂ）の位置から該カム面１６ｃ，１６ｃは昇り傾斜となるので、徐々にブレーキがかかることになることと、より強く軸受部９へ押圧されることになるフリクションプレート１８によるフリクション抵抗により、送話部５の重量に伴う附勢力に拘らず、急激に開かれることがない。そして、上述したようにカム突起９ｂ，９ｂがカム面１６ｃ，１６ｃの（ｃ）の位置に来ると、カム溝１６ｂ，１６ｂ内に落ち込み、この位置でクリック停止する。
【００２７】
したがって、この位置で外部よりかかってくる電話を受け、或は外部へ電話をするために、片手で送話部を持ち、もう一方の手でキーボード部を操作して、外部へ電話をかけることが可能となるものである。
【００２８】
さらに、送話部５をもっと開きたい場合には、送話部５或は受話部１の一方を片手で保持して、他方を開成方向へ押すと、カム突起９ｂ，９ｂはコンプレッションスプリング１７の押圧力に抗してカム溝１６ｂ，１６ｂより脱出して１８０°の開成を可能とするものである。この位置を図１０に（ｄ）として示した。１８０°まで開かれると、受話部１と送話部５のそれぞれの連結端部が当接して、それ以上の開成を阻止する。
【００２９】
受話部１のディスプレー部１ｂを操作者の見易い角度にするために、開成角度の調節を図１２に示したようにする場合には、図１０に示したように、９０°〜１４５°の間は、フリクションプレート１８のフリクションと固定カム１０及び摺動カム１６によるカムトルクによりフリーストップが可能となり、任意の開成角度で停止することができるものである。
【００３０】
【発明の効果】
この発明は以上のように構成したので、次のような効果を奏し得る。
【００３１】
請求項１のように構成すると、片手のみでワンタッチで開閉体を開くことができ、必要な開成角度で任意に停止保持させておくことができるので、これを請求項４に示したように二つ折り式の携帯用電話器の開閉装置に用いると、受信時において、受話部を片手で持って顔に近づけ、送話部に対するロック手段を解除させると、送話部が自動的に開いて、会話が可能な状態とすることができる。
【００３２】
請求項２のように構成すると、開閉体の一方を片手で持って、他方の開閉体の開成角度を任意に調節することができるので、これを請求項４に示したように二つ折りの携帯用電話器に用いると、送信時においては、送話部を片手で持って、ディスプレー部のある受話部の角度を、液晶表示ディスプレーが見易い角度に調節することができるものである。
【００３３】
請求項３のように構成すると、請求項１と請求項２を合わせたのと同じ作用効果を奏し得る。
【図面の簡単な説明】
【図１】この発明を実施した二つ折り式の携帯用電話器を開いた状態の正面図である。
【図２】この発明に係る開閉装置を二つ折り式の携帯用電話器へ取り付ける場合を説明する分解斜視図である。
【図３】この発明に係る開閉装置の取付状態を説明するための断面図である。
【図４】この発明に係る開閉装置の内部構造を示す断面図である。
【図５】この発明に係る開閉装置の動作を説明するための断面図である。
【図６】この発明に係る開閉装置の分解斜視図である。
【図７】軸受体の右側面図である。
【図８】軸受体の断面図である。
【図９】摺動カムの左側面図である。
【図１０】摺動カムのカムの部分の展開図である。
【図１１】この発明に係る開閉装置の動作を説明する説明図である。
【図１２】この発明に係る開閉装置の他の動作を説明する説明図である。
【符号の説明】
１  受話部（開閉体）
１ｃ  取付部
４  ロック手段
５  送話部（開閉体）
５ｃ  取付部
６  開閉装置
７  開閉装置
８  軸受体
９  軸受部
１０  固定カム
１１  回転シャフト
１６  摺動カム
１６ｂ  カム溝
１６ｃ  カム面
１７  コンプレッションスプリング
１８  フリクションプレート
１９  カム部
２０  押えワッシャー
【図１】
0003751692.tif 000002
【図２】
0003751692.tif 000003
【図３】
0003751692.tif 000004
【図４】
0003751692.tif 000005
【図５】
0003751692.tif 000006
【図６】
0003751692.tif 000007
【図７】
0003751692.tif 000008
【図８】
0003751692.tif 000009
【図９】
0003751692.tif 000010
【図１０】
0003751692.tif 000011
【図１１】
0003751692.tif 000012
【図１２】
0003751692.tif 000013